(57)【要約】      （修正有）【課題】サケマス等の魚卵の人工孵化槽に関して、用水Ｗの量と孵化仔魚の量に関わりなく仔魚の成育する孵化室５内の下網１０部分全面に一定量の均一な上昇流Ｗｂを起こさせ、又外部栄養に移行成長した稚魚を短期間で育成床材１２内から自然に浮上させる構造とする。【解決手段】魚卵人工孵化槽において、育成床材１２の直下に設置した下網１０の下部に、円形の孔１４を一定間隔で複数個開けた孔の位置が異なる２種類の整流板Ａ１１ａと整流板Ｂ１１ｂを交互に３枚設置し、孵化室５と排水室６を分けている排水側仕切板を取り外し可能な３枚の堰板様可動堰８を備えて構成される。【選択図】図１
0003150213.tif 000002
【実用新案登録請求の範囲】
【請求項１】
孵化用水Ｗを給水室４に連続的に給水することで孵化室５内底部より上側に向けて下網１０、孵化した仔魚が稚魚として浮上するまで成育する育成床材１２、孵化する前の魚卵を収容支持する受卵盆１５それぞれを順に設置した孵化室５内を用水Ｗで充満させた後、孵化室５と排水室６を分けている排水側仕切板３の上端を越流させることにより孵化室５内に用水Ｗの連続上昇流を常時生じさせて、孵化室５内の用水Ｗを逐次換水させる構造とした魚卵人工孵化槽において、育成床材１２の直下に設置した下網１０の下部に、円形の孔１４を一定間隔で複数個開けた孔の位置が異なる２種類の整流板Ａ１１ａと整流板Ｂ１１ｂを交互に３枚設置した、ことを特徴とする自然浮上型魚卵収容人工孵化育成槽。
【請求項２】
孵化用水Ｗを給水室４に連続的に給水することで孵化室５内底部より上側に向けて下網１０、孵化した仔魚が稚魚として浮上するまで成育する育成床材１２、孵化する前の魚卵を収容支持する受卵盆１５それぞれを順に設置した孵化室５内を用水Ｗで充満させた後、孵化室５と排水室６を分けている排水側仕切板３の上端を越流させることにより孵化室５内に用水Ｗの連続上昇流を常時生じさせて、孵化室５内の用水Ｗを逐次換水させる構造とした魚卵人工孵化槽において、孵化室５と排水室６を分けている排水側仕切板３を取り外し可能な３枚の堰板様可動堰８とした、ことを特徴とする請求項１記載の自然浮上型魚卵収容人工孵化育成槽。
【考案の詳細な説明】
【技術分野】
【０００１】  この考案は、サケ、マス等の魚卵の人工孵化槽の改善に関する。
更に詳しくは、孵化用水Ｗを給水室４に連続的に給水することで孵化室５内底部より上側に向けて下網１０、孵化した仔魚が稚魚として浮上するまで成育する育成床材１２、孵化する前の魚卵を収容支持する受卵盆１５それぞれを順に設置した孵化室５内を用水Ｗで充満させた後、孵化室５と排水室６を分けている排水側仕切板３の上端を越流させることにより孵化室５内に用水Ｗの連続上昇流を常時生じさせて、孵化室５内の用水Ｗを逐次換水させる構造の魚卵人工孵化槽の改善に関する。
【背景技術】
【０００２】  図５（Ａ）と図５（Ｂ）は上記のような構造の人工孵化槽の一般的なものの平面図と縦断面図を示したものである。図において１は合成樹脂製、金属板製、木版製等の直方体型の水槽であり、順に給水室４、孵化室５、排水室６の３室に分けられ、それぞれの室を給水室４と孵化室５を分ける給水側仕切板２と孵化室５と排水室６を分ける排水側仕切板３で区分されている。図５（Ａ）の平面図と図５（Ｂ）の縦断面図に示すように、孵化用水Ｗを給水室４へ連続的に給水し、給水用隙間開口部７を通して孵化室５内を用水で充満させた後、給水を連続させることによって給水室４の水圧が高まり、孵化室５内に用水Ｗの連続上昇流Ｗｂを常時生じさせて孵化室５外へ排水側仕切板３の上端を越流させて孵化室５内の用水Ｗを排水室６へ逐次換水し排水口１３を通して排水させる構造のものである。受卵盆１５の上側に収容した受精卵は上記換水状態に維持される孵化室５内の用水Ｗ中におかれていることにより胚発生が進み、発眼を経て孵化し、孵化した仔魚は受卵盆１５の目から抜け落ちて下網１０の上に設置した育成床材（砂利、ネットリング等）１２の中に入り安静期を過ごす。
上記の孵化した仔魚は育成床材１２内で内部栄養（卵黄嚢）を摂取成長し安静期を過ぎると外部栄養の摂取を必須とする稚魚期（浮上期）に入る。浮上時期に入ったら孵化室５内の育成床材１２の取り上げと同時に育成床材１２内に生息する稚魚を強制的に孵化室５内へ移して浮上させ、浮上期稚魚の育成がなされる。
【考案の開示】
【考案が解決しようとする課題】
【０００３】  しかしながら、以上の技術によれば、育成床材１２の直下に設置した下網１０に給水用隙間開口部７から流入してきた用水Ｗが直接供給されることで、用水Ｗの量あるいは孵化後の安静期仔魚及び浮上期稚魚の分布量の相違によって、下網１０部分にかかる抵抗が場所によって異なり、育成床材１２内の上昇流Ｗｂが不均一となることから上昇流過少を原因とする酸素不足による死魚の発生を招く、あるいは上昇流過多を原因とする仔魚の過剰な運動によるエネルギーロスを招く等たとえ生存してもこれら孵化魚のその後の成長に影響することを確認している。又成長した浮上時期の稚魚は流れに対する走性を持つことから、従来の上昇流Ｗｂだけでは内部栄養（卵黄嚢）を摂取する安静期仔魚から外部栄養の摂取が必須な浮上期稚魚の孵化室５内上部表層への浮上日数が長期にわたることで栄養摂取ができず体重の減少を引き起こし浮上後の成長に大きく影響するため、底部に敷かれた育成床材１２を取り除くことで成長した稚魚を強制的に浮上させていた。そこで、本考案は用水Ｗの量と孵化仔魚の量に関わりなく仔魚の成育する孵化室５内の下網１０部分全面に一定量の均一な上昇流Ｗｂを起こさせ、又外部栄養に移行成長した稚魚を短期間で育成床材１２内から自然に浮上させる構造とすることを課題とする。
【課題を解決するための手段】
【０００４】  以上の課題を解決するために、図１に本考案（自然浮上型魚卵収容人工孵化育成槽）の原理ブロック図を示した。
請求項１に記載の第一考案では、図２（図１の拡大図）と図３（斜視図）で示すように、仔魚の成育する育成床材１２の直下に設置する孵化室５内の下網１０の下部に、孔１４を複数個開けた２種類の整流板Ａ１１ａと整流板Ｂ１１ｂを交互に設置したことを特徴とする自然浮上型魚卵収容人工孵化育成槽である。
また、請求項２に記載の第二考案では、図４（図１の拡大図）で示すように、孵化室５と排水室６の排水側仕切板３を可動堰８としたことを特徴とする自然浮上型魚卵収容人工孵化育成槽である。
【考案の効果】
【０００５】  第一考案によれば、自然浮上型魚卵収容人工孵化育成槽の孵化室５内の下網１０の下部に、円形の孔１４を一定間隔で複数個開けた孔の位置が異なる２種類の整流板Ａ１１ａと整流板Ｂ１１ｂを交互に設置したので、給水用隙間開口部７から流入してきた用水Ｗが最下に設置した整流板Ａ１１ａにぶつかり乱流Ｗａ現象となった後、整流板Ａ１１ａの孔１４を通し、すぐ上の整流板Ｂ１１ｂの天井面にぶつかり四方に分散する。その分散流Ｗｃは再び整流板Ｂ１１ｂの孔１４を通し、その上に設置した整流板Ａ１１ａの天井面にぶつかり更なる分散流Ｗｃとなり、それぞれの分散流が整流板Ａ１１ｂの孔１４を通し下網１０に達することで、孵化室５内の上昇流Ｗｂは常に孵化室５内の下網１０全面に一定量が均一に供給され、仔魚の死亡あるいは成長に影響が生じないこと、第二考案によれば、孵化室５と排水室６の排水側仕切板３を取り外し可能な３枚の堰板様可動堰８としたので、堰板８を上から順に外し孵化室５内の水位を下げることで固定堰９の上端に向けた斜流Ｗｄが生じ、育成床材１２内の均一な上昇流Ｗｂにこの斜流Ｗｄの変化が加わることで、浮上時期まで成長した稚魚が流れの変化の刺激を受け、育成床材１２内から水位の下がった孵化室５内に短期間で自然に浮上してくることから体重減少が生じず、その後の成長への影響が防止できる。
【実施例１】
【０００６】  この考案の一実施形態を、図１に示す。
自然浮上型魚卵収容人工孵化育成槽の本体１はポリ塩化ビニル製であり、この本体１の孵化室５内部の下網１０の下部に、円形の孔１４を一定間隔で複数個開けた孔の位置が異なる２種類の整流板Ａ１１ａと整流板Ｂ１１ｂを交互に組み合わせて設置している。又孵化室５と排水室６を分けている取り外し可能な３枚の堰板様可動堰８がそれぞれ設置されている。給水室４内には用水Ｗが連続的に導入される。給水室４内の用水Ｗは給水室４と孵化室５を分けている給水側仕切板２下端の給水用隙間開口部７から孵化室５内へ流入し、孵化室５内は用水Ｗで満たされる。孵化室５が用水Ｗで十分に満たされた後は給水室４への用水Ｗ供給が連続的になされる限り孵化室５を溢れる用水Ｗは孵化室５と排水室６を分けている最上部にある取り外し可能な堰板様可動堰の上端を越流し、排水室６へ常時流出し排水口１３を通して排水されていく。【０００７】  この実施形態によれば、円形の孔１４を一定間隔で複数個開けた孔の位置が異なる２種類の整流板Ａ１１ａと整流板Ｂ１１ｂの交互の組み合わせの働きで、上昇流は用水Ｗの量等にかかわらず孵化室５内に設置した育成床材１２内を均一にあがる。したがって、成育する仔魚への酸素供給量が一定となり、成長に与える影響を緩和できる。又孵化室５と排水室６を分けている取り外し可能な３枚の堰板様可動堰８の働きで、孵化室５内の水位の調整が可能となり、成長した稚魚が生息する育成床材１２内に斜流Ｗｄの変化を与えることができる。したがって、成長した稚魚が短期間で育成床材１２内から、水位の下がった孵化室５内に自然に浮上してくる。
【実施例２】
【０００８】  図１の実施形態では、一定間隔で複数個開けた孔１４は総て円形であり、この開けた孔１４の位置が異なる２種類の整流板Ａ１１ａと整流板Ｂ１１ｂを交互に３枚設置したが、他の実施形態では、形成させる上昇流Ｗｂの大きさに応じて孔１４の大きさ、数、さらに整流板Ａ１１ａと整流板Ｂ１１ｂの組合せ枚数を調整設置しても良く、又上記２種類の整流板の孔１４の形状を長方形として複数個開けたものでも良い。
また、排水室６と孵化室５を分けている可動堰の材質はポリ塩化ビニルの合成樹脂製のものを３枚設置しているが、その他金属板製、木版製等でも良く、又枚数も稚魚の浮上期間の調整のために、細かな水位調整を目的としてそれ以上の複数枚としたものでも良い。
【図面の簡単な説明】
【０００９】
【図１】この考案の一実施形態を示す縦断面図である。
【図２】この考案の一実施形態を示す第二の要部の縦断面図である。
【図３】この考案の一実施形態を示す整流板Ａ１１ａと整流板Ｂ１１ｂの斜視図である。
【図４】この考案の一実施形態を示す取り外し可能な可動堰８の第三の要部の縦断面図である。
【図５（Ａ）】従来槽を示す平面図である。
【図５（Ｂ）】従来槽を示す縦断面図である。
【符号の説明】
【００１０】１自然浮上型魚卵収容人工孵化育成槽本体
２給水側仕切板
３排水側仕切板
４給水室
５孵化室
６排水室
７給水用隙間開口部
８可動堰
９固定堰
１０下網
１１ａ整流板Ａ
１１ｂ整流板Ｂ
１２育成床材
１３排水口
１４孔
１５受卵盆
Ｗ用水
Ｗａ乱流
Ｗｂ上昇流
Ｗｃ分散流
Ｗｄ斜流
【図１】
0003150213.tif 000003
【図２】
0003150213.tif 000004
【図３】
0003150213.tif 000005
【図４】
0003150213.tif 000006
【図５（Ａ）】
0003150213.tif 000007
【図５（Ｂ）】
0003150213.tif 000008